(57)【特許請求の範囲】
【請求項１】
上面部と底面部とを有する袋体によって構成され、且つ内部に詰め物が充填される枕本体と、
前記枕本体の前記底面部に設けられた底面部開口と、
当該底面部開口を開閉し、前記枕本体の前記内部に前記詰め物を出し入れするときに開放される底面部ファスナーと、
柔軟なシート材によって作製され、且つ前記枕本体に縫い付けられた部分を中心として前記枕本体の前記上面部を覆う第１態様と前記底面部を覆う第２態様との間で旋回可能なカバー部材と、
前記第１態様と前記第２態様の夫々において、前記カバー部材を前記枕本体に固定する固定部と、
を備え、
前記枕本体の前記上面部、及び前記カバー部材は、前記第１態様において寝心地を調整するための弾性シートを取り外し自在に収納する弾性シート収納空間を形成し、
前記カバー部材は、前記第２態様において前記底面部開口を封止することを特徴とする枕。
【請求項２】
前記固定部は、前記枕本体の外周縁に設けた本体側エレメントと、前記カバー部材の外周縁に設けたカバー側エレメントと、前記本体側エレメント、及び前記カバー側エレメントに沿って移動自在なスライダーとを備えた外周縁ファスナーであることを特徴とする請求項１に記載の枕。
【請求項３】
前記枕本体の前記底面部、及び前記カバー部材は、前記第２態様において枕の高さを調整するための高さ調整シートを取り外し自在に収納する高さ調整シート収納空間を形成することを特徴とする請求項１又は２に記載の枕。
【発明の詳細な説明】
【技術分野】
【０００１】
本発明は、枕本体に縫い付けられた部分を中心として旋回可能なカバー部材を備えた枕に関する。
【背景技術】
【０００２】
枕は睡眠時において使用者の頭部が載せられるため、枕の高さは寝心地を左右する重要な要素である。このため、高さを調整可能な構成を備えた枕が提案されている。
特許文献１に記載された枕は、詰め物が充てんされた複数の区画を有する第１枕体と、第１枕体と上下方向に重なり合う第２枕体と、１つ以上のシートクッションとを備えている。第１枕体と第２枕体のそれぞれの外周縁の一部は折り曲げ可能に連結されており、外周縁の他部（残部）は外周縁ファスナーによって分離自在に連結されている。第２枕体の内表面と対向する第１枕体の内表面には、詰め物を出し入れするための詰め物挿入口と、詰め物挿入口を開閉するための挿入口ファスナーとが設けられている。
従って、特許文献１に記載された枕では、シートクッションを第１枕体の内表面と第２枕体の内表面との間に挟み込んだり、取り外したりすることにより、枕の高さを調整することができる。また、当該枕では、第１枕体の内部に充填された詰め物の量に基づいて、枕の高さを調整することもできる。
【０００３】
ここで、枕には使用に伴って使用者の汗が浸透したり使用者の皮脂が付着するため、枕は定期的に洗濯することが望ましい。例えば、枕の洗濯は、枕を洗濯ネットの中に入れた状態で洗濯機によって行われる。
特許文献１に記載された枕を洗濯するときには、挿入口ファスナーによって詰め物挿入口が閉じられており、さらに第１枕体と第２枕体の外周縁の他部が外周縁ファスナーによって連結されている。このため、枕を洗濯しても詰め物の枕外部への漏出は防止される。
【先行技術文献】
【特許文献】
【０００４】
【特許文献１】実用新案登録第３１８１９４６号公報
【発明の概要】
【発明が解決しようとする課題】
【０００５】
特許文献１に記載された枕では、第１枕体の内表面に詰め物挿入口と挿入口ファスナーとが設けられているため、挿入口ファスナーが備えるスライダーによってシートクッションが傷つけられてしまう恐れがあった。シートクッションが傷つけられてしまうことを防止するため、詰め物挿入口と挿入口ファスナーとを第１枕体の外表面に設ける構成が考えられる。
特許文献１に記載された枕を改造して、詰め物挿入口と挿入口ファスナーとを第１枕体の外表面に設けた構成では、挿入口ファスナーを閉め忘れた状態で枕を洗濯機で洗濯してしまう恐れがある。挿入口ファスナーを閉め忘れた状態で枕を洗濯してしまうと、詰め物が詰め物挿入口から枕の外、すなわち洗濯槽の内部に漏出してしまう恐れがある。
本発明は、このような事情に鑑みてなされたものであり、その目的は、枕の洗濯時において、詰め物の枕外部への漏出を抑制することにある。
【課題を解決するための手段】
【０００６】
上記課題を解決するために、本発明に係る枕は、上面部と底面部とを有する袋体によって構成され、且つ内部に詰め物が充填される枕本体と、前記枕本体の前記底面部に設けられた底面部開口と、当該底面部開口を開閉し、前記枕本体の前記内部に前記詰め物を出し入れするときに開放される底面部ファスナーと、柔軟なシート材によって作製され、且つ前記枕本体に縫い付けられた部分を中心として前記枕本体の前記上面部を覆う第１態様と前記底面部を覆う第２態様との間で旋回可能なカバー部材と、前記第１態様と前記第２態様の夫々において、前記カバー部材を前記枕本体に固定する固定部と、を備え、前記枕本体の前記上面部、及び前記カバー部材は、前記第１態様において寝心地を調整するための弾性シートを取り外し自在に収納する弾性シート収納空間を形成し、前記カバー部材は、前記第２態様において前記底面部開口を封止することを特徴とする。
【発明の効果】
【０００７】
本発明によれば、枕の洗濯時において、詰め物の枕外部への漏出を抑制することができる。
【図面の簡単な説明】
【０００８】
【図１】カバー部材を開いた状態を上面部側から見た枕の斜視図である。
【図２】カバー部材を開いた状態を底面部側から見た枕の斜視図である。
【図３】カバー部材で枕本体の上面部を覆った第１態様の枕の斜視図である。
【図４】第１態様の枕の断面図である。
【図５】カバー部材で枕本体の底面部を覆った第２態様の枕の斜視図である。
【図６】枕本体の各小室に充填される詰め物を説明する図であり、（ａ）は柔軟な樹脂製パイプを示し、（ｂ）は火山灰を含有する柔軟な樹脂製パイプを示し、（ｃ）は羽毛を示し、（ｄ）は粒綿等の粒状体を示す。
【図７】詰め物の小室への充填作業を説明する断面図であり、（ａ）は上面側小室への充填作業を示し、（ｂ）は底面側小室への充填作業を示す。
【図８】枕本体に対して着脱自在に収納されるクッション材、及びクッション材を収納する収納部を説明する斜視図である。
【図９】首元用クッション片の枕本体への収納を説明する部分拡大斜視図である。
【図１０】クッション小片のカバー部材への収納を説明する部分拡大斜視図である。
【図１１】カバー部材の旋回手順を説明する図であり、カバー部材と枕本体との間の外周縁ファスナーによる固定を解いた状態を示す。
【図１２】カバー部材の旋回手順を説明する図であり、カバー部材を枕本体の上面から持ち上げた状態を示す。
【図１３】カバー部材の旋回手順を説明する図であり、枕本体を反転させ、且つカバー部材を枕本体の底面側に旋回させた状態を示す。
【図１４】カバー部材の旋回手順を説明する図であり、カバー部材によって枕本体の底面を覆い、且つ外周縁ファスナーによってカバー部材を枕本体に固定した状態を示す。
【図１５】（ａ）は第２態様において、高さ調整シート収納空間に高さ調整シートを収納し、且つ各クッション小片収納部にクッション小片を収納した状態を示す枕の断面図、（ｂ）は第２態様において、高さ調整シート収納空間から高さ調整シートを取り外し、且つ各クッション小片収納部からクッション小片を取り外した状態を示す枕の断面図である。
【発明を実施するための形態】
【０００９】
＜枕の概略について＞
以下、本発明の実施形態について、図面を参照して説明する。但し、この実施形態に記載される構成要素、種類、組み合わせ、形状、その相対配置などは特定的な記載がない限り、この発明の範囲をそれのみに限定する主旨ではなく単なる説明例に過ぎない。
図１はカバー部材３を開いた状態を上面部２２側から見た枕１の斜視図、図２はカバー部材３を開いた状態を底面部２３側から見た枕１の斜視図、図３はカバー部材３で枕本体２の上面部２２を覆った第１態様の枕１の斜視図、図４は第１態様の枕１の断面図、図５はカバー部材３で枕本体２の底面部２３を覆った第２態様の枕１の斜視図である。
【００１０】
図１乃至図５に示す枕１は、上面部２２と底面部２３とを有する袋体２１を有し、且つ袋体２１の内部に設けられた複数の小室ＳＰ１，ＳＰ２（図４を参照）に詰め物５１が充填される枕本体２と、枕本体２の底面部２３に設けられた複数の底面部開口２４と、各底面部開口２４を開閉し、枕本体２の各小室ＳＰ１，ＳＰ２に詰め物５１（５１ａ，５１ｄ）を出し入れするときに開放される複数の底面部ファスナー２５と、柔軟なシート材によって作製され、且つ枕本体２に縫い付けられた縫い付け部ＳＷ（図３を参照）を中心として枕本体２の上面部２２を覆う第１態様（図３を参照）と底面部２３を覆う第２態様（図５を参照）との間で旋回可能なカバー部材３と、第１態様と第２態様の夫々において、カバー部材３を枕本体２に固定する外周縁ファスナー４（固定部）と、を備えている。
図４に示すように、枕本体２の上面部２２、及びカバー部材３は、第１態様において寝心地を調整するためのシート状クッション５２（弾性シート）を取り外し自在に収納するクッション体収納部ＳＰ３（弾性シート収納空間）を形成する。そして、図５に示すように、カバー部材３は、第２態様において外周縁ファスナー４によって枕本体２の外周縁に固定されることにより、底面部開口２４を封止する。
【００１１】
以上ように構成された枕１では、図３及び図４に示す第１態様において、枕本体２の上面部２２とカバー部材３との間のクッション体収納部ＳＰ３（図４参照）に対してシート状クッション５２を収納したり、取り外したりすることにより、枕１の高さやクッション性を調整することができる。そして、枕本体２の上面部２２にはファスナーが設けられていないため、クッション体収納部ＳＰ３に収納されたシート状クッション５２の破損を抑制できる。
さらに、図５に示す第２態様では、外周縁ファスナー４によってカバー部材３を枕本体２の外周縁に固定することにより、底面部開口２４をカバー部材３によって封止している。このため、底面部ファスナー２５の閉め忘れによって底面部開口２４が開放されたままになっていても、底面部開口２４から漏出した詰め物５１はカバー部材３と枕本体２の底面部２３との間に留まる。
従って、枕１の洗濯時にカバー部材３を第２態様で固定することにより、詰め物５１の枕１外部への漏出（すなわち、洗濯機の洗濯槽内への漏出）を抑制することができる。
【００１２】
＜枕本体２について＞
以下、第一実施形態の枕１について詳細に説明する。図１、及び図２に示すように、枕１は、平面視において略横長四角形状であり、且つ扁平形状の枕本体２と、平面視において枕本体２と略同じ形状の横長四角形状の布地（シート材）によって作製され、且つ外周縁の一部分（縫い付け部ＳＷ、図３を参照）が枕本体２の外周縁の一部分に縫い付けられたカバー部材３と、を備えている。
枕本体２は、側生地を袋状に縫い合わせた袋体２１を備えている。袋体２１は、平面視において略横長四角形状である。
袋体２１の上面部２２であって縫い付け部ＳＷの近傍には、図４に示す首元用クッション片５３を着脱自在に収納するための首元用クッション片収納部ＳＰ４が設けられている。なお、首元用クッション片収納部ＳＰ４については後述する。
【００１３】
図４に示すように、袋体２１の内部には中布２６とマチ布２７とが縫い付けられており、袋体２１の内部は複数の小室ＳＰ１，ＳＰ２に区画されている。
中布２６は、袋体２１の平面形状と略同じ横長四角形状の布地であり、袋体２１の内部を上面部２２側と底面部２３側とに２分割するように配置され、袋体２１の外周縁に沿って縫い付けられている。
マチ布２７は、袋体２１の上面部２２側の内部と底面部２３側の内部のそれぞれに縫い付けられており、上面部２２側の内部を複数の上面側小室ＳＰ１に区画（分割）し、底面部２３側の内部を複数の底面側小室ＳＰ２に区画している。例えば、枕本体２の横方向に沿って延びるマチ布２７を、枕本体２の縦方向に間隔を空けて２枚縫い付け、且つ枕本体２の縦方向に沿って延びるマチ布２７を、枕本体２の横方向に間隔を空けて２枚縫い付けることにより、袋体２１の内部に合計１８個の小室ＳＰ１，ＳＰ２を形成している。
【００１４】
中布２６には、上面側小室ＳＰ１に対応させて中布開口２６ａを設けている。本実施形態の枕１には、９つの上面側小室ＳＰ１が形成されているため、中布開口２６ａも９つ設けている。
各中布開口２６ａは線状の切り込みであり、各中布開口２６ａに沿って内側筒布２８ｉの基端が縫い付けられている。内側筒布２８ｉは、例えば布地を筒状に縫い合わせることによって作製されている。上面側小室ＳＰ１は、各中布開口２６ａを通じて各内側筒布２８ｉの内側空所と連通している。各内側筒布２８ｉは、例えば先端から基端に向けて渦巻き状に巻かれた状態で、底面側小室ＳＰ２内における中布開口２６ａの近傍に収納されている。
【００１５】
袋体２１の底面部２３には、各底面側小室ＳＰ２に対応させて底面部開口２４を設けている。本実施形態の枕１には、９つの底面側小室ＳＰ２が形成されているため、底面部開口２４も９つ設けている。各底面部開口２４は線状の切り込みであり、底面部ファスナー２５によって開閉自在とされている。
各底面部開口２４に沿って外側筒布２８ｏの基端が縫い付けられている。外側筒布２８ｏは、例えば布地を筒状に縫い合わせることによって作製されている。各底面側小室ＳＰ２は、各底面部開口２４を通じて各外側筒布２８ｏの内側空所と連通している。各外側筒布２８ｏは、例えば先端から基端に向けて渦巻き状に巻かれた状態で、各底面側小室ＳＰ２内における底面部開口２４の近傍に収納されている。従って、底面部ファスナー２５は、外側筒布２８ｏが収納された状態において、底面部開口２４を開閉することができる。
【００１６】
＜詰め物５１について＞
枕本体２の各上面側小室ＳＰ１、及び各底面側小室ＳＰ２には、詰め物５１が充填される。ここで、詰め物５１について説明する。図６（ａ）乃至（ｄ）は各種の詰め物５１ａ、５１ｂ、５１ｃ、５１ｄを説明する図、図７（ａ）及び（ｂ）は詰め物５１（５１ａ、５１ｄ）の各小室ＳＰ１，ＳＰ２への充填作業を説明する断面図である。
本実施形態の枕１では、詰め物５１として、例えば図６（ａ）に示した柔軟な樹脂製パイプ５１ａ、図６（ｂ）に示した火山灰を含有する柔軟な樹脂製パイプ５１ｂ、図６（ｃ）に示した羽毛５１ｃ、及び図６（ｄ）に示した粒綿５１ｄ（粒状体）が用意されている。図４に示す例では、上面側小室ＳＰ１に粒綿５１ｄを充填し、底面側小室ＳＰ２に柔軟な樹脂製パイプ５１ａを充填している。
【００１７】
図７（ａ）に示すように、上面側小室ＳＰ１に粒綿５１ｄを充填するときには、まず枕本体２の底面部２３を上側に向けた状態で底面部ファスナー２５を開放し、外側筒布２８ｏの先端を底面部開口２４の外側（すなわち、袋体２１の外部）に引き出す。次に、外側筒布２８ｏの内側空所を通じて内側筒布２８ｉの先端を底面部開口２４の外側に引き出し、内側筒布２８ｉの内側空所を通じて上面側小室ＳＰ１に粒綿５１ｄを充填する。粒綿５１ｄの充填が完了したならば、内側筒布２８ｉを先端から基端に向けて渦巻き状に巻き、中布開口２６ａの近傍に収納する（図７（ｂ）を参照）。
図７（ｂ）に示すように、底面側小室ＳＰ２に樹脂製パイプ５１ａを充填するときには、まず枕本体２の底面部２３を上側に向けた状態で底面部ファスナー２５を開放し、外側筒布２８ｏの先端を底面部開口２４の外側に引き出す。次に、外側筒布２８ｏの内側空所を通じて底面側小室ＳＰ２に樹脂製パイプ５１ａを充填する。樹脂製パイプ５１ａの充填が完了したならば、外側筒布２８ｏを先端から基端に向けて渦巻き状に巻いて底面部開口２４の近傍に収納し、底面部ファスナー２５を閉じる。
【００１８】
＜カバー部材３について＞
次に、カバー部材３について説明する。図１、及び図３に示すように、カバー部材３は、枕本体２と略同じ形状の横長四角形状の布地によって作製されている。
カバー部材３の外周縁の一部（一方の長辺）は、枕本体２の外周縁の一部（一方の長辺）に対して縫い付けられており、縫い付け部ＳＷを構成している。本実施形態において、縫い付け部ＳＷは、カバー部材３、及び枕本体２における使用者の首元側（肩側）の長辺同士を縫い付けることによって構成されているが、他の辺同士を縫い付けてもよい。
また、カバー部材３、及び枕本体２における外周縁の他部（残りの三片）には外周縁ファスナー４が取り付けられている。外周縁ファスナー４は例えば線ファスナーであり、スライダー４２（４２ａ、４２ｂ）をカバー部材３と枕本体２のそれぞれに取り付けたエレメント４１（カバー部材３側のエレメント４１ｕ、枕本体２側のエレメント４１ｄ）に沿って移動させることにより、カバー部材３の外周縁を枕本体２の外周縁に対して固定（連結）したり、固定を解除したりする。
【００１９】
カバー部材３は、例えば表側生地３１（図３を参照）と裏側生地３２（図１０を参照）とを二枚重ねにして外周縁同士を縫い合わせることによって作製されている。表側生地３１、及び裏側生地３２は、例えば綿織物であり、一枚の布地によって作製されている。
裏側生地３２には、図４に示すクッション小片５４を着脱自在にするためのクッション小片収納部ＳＰ５を設けている。図１、及び図１０に示すように、クッション小片収納部ＳＰ５は、複数枚の横長帯状の収納部布地６１を裏側生地３２に縫い付けることによって作製されている。
例えば、クッション小片収納部ＳＰ５は、各収納部布地６１を長辺同士が重なるように縦方向に位置をずらして配置し、裏側生地３２の外周縁に沿って縫い合わせ、その後、裏側生地３２の縦方向に沿って横方向に間隔を空けて２箇所縫い合わせ、且つ裏側生地３２の横方向に沿って縦方向に間隔を空けて２箇所縫い合わせることにより作製されている。
本実施形態の枕１において、クッション小片収納部ＳＰ５は、横方向に沿って３箇所、縦方向に沿って３箇所の合計９箇所設けられている。
【００２０】
＜クッション材について＞
次に、クッション材について説明する。図８は枕本体２に対して着脱自在に収納されるクッション材、及びクッション材を収納する収納部を説明する斜視図、図９は首元用クッション片５３の枕本体２への収納を説明する部分拡大斜視図、図１０はクッション小片５４のカバー部材３への収納を説明する部分拡大斜視図である。
図８に示すように、本実施形態の枕１では、クッション材として、シート状クッション５２、首元用クッション片５３、クッション小片５４、及び高さ調整シート５５が用意されている。
【００２１】
シート状クッション５２は、カバー部材３が枕本体２の上面部２２を覆った第１態様において、カバー部材３と枕本体２の上面部２２との間に形成されるクッション体収納部ＳＰ３に対して着脱自在に収納される。本実施形態において、シート状クッション５２は、例えば厚さが１ｃｍ乃至３ｃｍ程度のシート状であって、枕本体２（袋体２１）の上面部２２よりも一回り小さい横長四角形状の発泡弾性体（例えばウレタンフォーム）によって作製されている。
シート状クッション５２をクッション体収納部ＳＰ３内に収納することにより、枕本体２の上面部２２とカバー部材３との間に厚みを持たせることができ、使用者ＨＭの後頭部を支えることができる。そして、シート状クッション５２の厚さ、及び柔らかさを調整することにより、使用者ＨＭの後頭部に与える感触を変化させることができる。例えば、シート状クッション５２として厚手（例えば３ｃｍ）の低反発性の発泡弾性体シートを使用することにより、後頭部に対してソフトタッチの感触（柔らかく包み込むように支える感触）を与えることができる。一方、シート状クッション５２として薄手（例えば１ｃｍ）の硬質発泡弾性体シートを使用することにより、後頭部に対してハードタッチの感触（硬く、且つ強い反発力で支える感触）を与えることができる。
【００２２】
高さ調整シート５５は、カバー部材３が枕本体２の底面部２３を覆った第２態様において、カバー部材３と枕本体２の底面部２３との間に形成される高さ調整シート収納空間ＳＰ６（図１５（ａ）を参照）に対して着脱自在に収納される。本実施形態において、高さ調整シート５５は、厚さが０．５ｃｍ乃至１ｃｍ程度であって、枕本体２の底面部２３よりも一回り小さい横長四角形状の発泡弾性体（例えばウレタンフォーム）によって作製されている。
高さ調整シート５５は、シート状クッション５２よりも硬い素材で作製されており、例えば樹脂板や硬質の発泡シートが使用される。高さ調整シート５５を高さ調整シート収納空間ＳＰ６内に収納することにより、枕１の上面高さを変化させることができる。そして、高さ調整シート５５の厚さを調整することにより、枕１の上面高さを使用者ＨＭ毎に最適化できる。
【００２３】
首元用クッション片５３は、枕本体２の上面部２２に設けられた首元用クッション片収納部ＳＰ４に対し、着脱自在に収納される。
図９に示すように、首元用クッション片収納部ＳＰ４は、枕本体２におけるカバー部材３側の上面部２２に収納部布地６１を縫い付けることによって作成されている。収納部布地６１は、帯形状をした布地であり、２枚の収納部布地６１を長辺同士が重なるように縦方向に位置をずらして配置し、枕本体２（袋体２１）の外周縁に沿って縫い付けることによって作製されている。
図４、及び図９に示すように、首元用クッション片５３は、弾性を有した横長四角形状の板状部材であって、側面視において一方の長辺から他方の長辺に向かって厚さが漸次薄くなった楔形状をしている。本実施形態において、首元用クッション片５３は、発泡弾性体（例えばウレタンフォーム）によって作製されており、厚さが薄い側の長辺を縫い付け部ＳＷに向けて収納されている。
首元用クッション片５３を首元用クッション片収納部ＳＰ４内に収納することにより、枕１の厚さは使用者ＨＭの首から背中に向けて漸次薄くなる。これにより、使用者ＨＭの首から肩の範囲を身体の表面形状に沿って滑らかに隙間を空けることなく支持することができる。
【００２４】
図８、及び図１０に示すように、クッション小片５４は、カバー部材３の裏面に設けられたクッション小片収納部ＳＰ５に対し、着脱自在に収納される。クッション小片５４は、弾性を有した四角形状の板状部材であり、発泡弾性体（例えばウレタンフォーム）によって作製されている。
本実施形態において、カバー部材３の裏面にはクッション小片収納部ＳＰ５が９箇所設けられているが、クッション小片５４は全てのクッション小片収納部ＳＰ５に収納されている必要はなく、必要な箇所のクッション小片収納部ＳＰ５に収納されていればよい。そして、クッション小片５４は、必要がなければ、全てのクッション小片収納部ＳＰ５に収納されていなくてもよい。
クッション小片５４をクッション小片収納部ＳＰ５内に収納することにより、枕１の上面高さを局所的に増やすことができる。これにより、枕上面の凹凸形状を使用者ＨＭの好みにあわせて調整できる。
なお、本実施形態において、クッション小片収納部ＳＰ５はカバー部材３の裏面に露出した状態で設けられているが、クッション小片収納部ＳＰ５を裏面カバー（不図示）によって覆ってもよい。裏面カバーは、例えばカバー部材３の裏面の外周縁に沿って設けたファスナーによって開閉自在に取り付けられた布地である。
【００２５】
＜カバー部材３の旋回手順について＞
次に、カバー部材３の旋回手順について説明する。図１１乃至図１４はカバー部材３の旋回手順を説明する図である。ここでは、カバー部材３によって枕本体２の上面部２２を覆った第１態様（図３を参照）から、底面部２３を覆った第２態様（図５を参照）に移行する場合の旋回手順について説明する。カバー部材３の第２態様への移行は、例えば、枕１を洗濯機で洗濯するときに行われる。
【００２６】
図１１に示すように、最初に、外周縁ファスナー４の両スライダー４２ａ，４２ｂをエレメント４１に沿って移動させ、一方のスライダー４２は縫い付け部ＳＷの一端近傍に位置付け、他方のスライダー４２は縫い付け部ＳＷの一端近傍に位置付ける。これにより、カバー部材３側のエレメント４１ｕと、枕本体２側のエレメント４１ｄとが分離され、カバー部材３は枕本体２に対して縫い付け部ＳＷを中心に旋回可能な状態になる。言い換えれば、カバー部材３は、一部分（縫い付け部ＳＷ）が枕本体２に対して縫い付けられたまま、枕本体２の上面部２２と底面部２３の何れか一方を被覆可能な状態になる。
両スライダー４２ａ，４２ｂをエレメント４１に沿って移動させたならば、図１２に示すように、カバー部材３を枕本体２の上面部２２から離隔させる。その後、図１３に示すように、枕本体２を反転させて枕本体２の底面部２３を上側に向け、カバー部材３を枕本体２の底面部２３側に移動させる。
【００２７】
次に、図１４に示すように、カバー部材３の表側生地３１を枕本体２の底面部２３に対向させて、カバー部材３によって枕本体２の底面部２３を覆い、その後、外周縁ファスナー４の両スライダー４２が隣接するまで、両スライダー４２ａ，４２ｂをエレメント４１（４１ｕ、４１ｄ）に沿って移動させる。
両スライダー４２ａ，４２ｂを隣接させると、枕本体２、及びカバー部材３における縫い付け部ＳＷを除いた部分が外周縁ファスナー４によって封止される。言い換えれば、枕本体２の底面部開口２４がカバー部材３によっても封止された状態になる。
従って、枕１を洗濯機によって洗濯する前にカバー部材３を第２態様で固定することにより、底面部ファスナー２５を閉め忘れてしまったとしても、枕本体２の各小室ＳＰ１，ＳＰ２に充填された詰め物５１が枕１外部へ漏出してしまう不都合が抑制される。
【００２８】
＜カバー部材３の第２態様について＞
本実施形態の枕１において、枕本体２の上面部２２には、詰め物５１を出し入れするための開口やファスナーが設けられておらず、枕本体２の上面部２２に使用者ＨＭの頭部を載せても、不快な刺激を使用者ＨＭに与え難い。従って、枕本体２の上面部２２に使用者ＨＭの頭部を載せて使用することもできる。
枕本体２の上面部２２に使用者ＨＭの頭部を載せる場合において、カバー部材３の表側生地３１と枕本体２の底面部２３との間には空間ＳＰ６が形成される。そして、当該空間ＳＰ６を、枕１の高さを調整するための高さ調整シート５５を着脱自在に収納するための高さ調整シート収納空間ＳＰ６として使用することができる。
【００２９】
ここで、図１５（ａ）は第２態様において、高さ調整シート収納空間ＳＰ６に高さ調整シート５５を収納し、且つ各クッション小片収納部ＳＰ５にクッション小片５４を収納した状態を示す枕１の断面図、図１５（ｂ）は第２態様において、高さ調整シート収納空間ＳＰ６から高さ調整シート５５を取り外し、且つ各クッション小片収納部ＳＰ５からクッション小片５４を取り外した状態を示す枕１の断面図である。
図１５（ａ）に示すように、高さ調整シート収納空間ＳＰ６に高さ調整シート５５を収納し、且つ各クッション小片収納部ＳＰ５にクッション小片５４を収納することにより、図１５（ｂ）に示すクッション材の非収納状態と比較して枕１の上面高さ（枕本体２の上面部２２の高さ）を高くすることができる。
また、高さ調整シート収納空間ＳＰ６に高さ調整シート５５を収納し、且つ各クッション小片収納部ＳＰ５からクッション小片５４を取り外すことにより、枕１の上面高さを図１５（ａ）に示すクッション材の収納状態よりも低く、且つ図１５（ｂ）に示すクッション材の非収納状態よりも高くすることができる。
【００３０】
このように、本実施形態の枕１によれば、カバー部材３を第２態様で固定することにより、カバー部材３の表側生地３１と枕本体２の底面部２３との間の空間を高さ調整シート収納空間ＳＰ６として使用することができる。
そして、高さ調整シート５５を高さ調整シート収納空間ＳＰ６に収納したり、高さ調整シート収納空間ＳＰ６から取り外したりすることにより、枕１の上面高さを使用者ＨＭの好みにあわせて調整することができる。
高さ調整シート５５を高さ調整シート収納空間ＳＰ６に収納すると、枕１の底面部２３を上側にして使用したときであっても、底面部ファスナー２５によって使用者ＨＭに与えられる異物感が抑制される。さらに、クッション小片収納部ＳＰ５を裏面カバー（不図示）によって覆うと表面が平滑になるため、クッション小片収納部ＳＰ５の凹凸形状に起因する違和感も軽減される。
【００３１】
＜変形例について＞
前述した実施形態の枕１では、カバー部材３を枕本体２に固定する固定部として線ファスナーで構成された外周縁ファスナー４を例示したが、固定部は第２態様においてカバー部材３によって底面部開口２４を封止できるのであれば、外周縁ファスナー４に限られない。例えば、外周縁ファスナー４に代えて面ファスナーを用いてもよい。
また、第２態様において、カバー部材３を枕本体２に固定する箇所は、底面部開口２４を封止できるのであれば外周縁に限られない。例えば、底面部開口２４の周囲でカバー部材３を固定してもよい。
【００３２】
前述した実施形態の枕１では、カバー部材３の裏側には複数のクッション小片収納部ＳＰ５を形成し、各クッション小片収納部ＳＰ５に対してクッション小片５４を選択的に収納していたが、この構成に限定されない。例えば、クッション小片収納部ＳＰ５を省略し、クッション小片５４を使用しない構成であってもよい。
前述した実施形態の枕１では、カバー部材３として平面視において枕本体２と略同じ形状の横長四角形状の布地を例示したが、柔軟なシート材であれば布地に限定されない。
【００３３】
[本発明の実施態様例と作用、効果のまとめ]
＜第一の実施態様＞
本態様に係る枕１は、上面部２２と底面部２３とを有する袋体２１によって構成され、且つ内部に詰め物５１が充填される枕本体２と、枕本体２の底面部２３に設けられた底面部開口２４と、底面部開口２４を開閉し、枕本体２の内部に詰め物５１を出し入れするときに開放される底面部ファスナー２５と、柔軟なシート材によって作製され、且つ枕本体２に縫い付けられた部分を中心として枕本体２の上面部２２を覆う第１態様と底面部２３を覆う第２態様との間で旋回可能なカバー部材３と、第１態様と第２態様の夫々において、カバー部材３を枕本体２に固定する固定部（外周縁ファスナー４）と、を備え、枕本体２の上面部２２、及びカバー部材３は、第１態様において寝心地を調整するための弾性シートを取り外し自在に収納するクッション体収納部ＳＰ３（弾性シート収納空間）を形成し、カバー部材３は、第２態様において底面部開口２４を封止することを特徴とする。
本態様に係る枕１によれば、底面部ファスナー２５の閉め忘れによって底面部開口２４が開放されたままになっていても、底面部開口２４から漏出した詰め物５１はカバー部材３と枕本体２の底面部２３との間に留まる。従って、枕１の洗濯時にカバー部材３を第２態様で固定することにより、詰め物５１の枕外部への漏出を抑制することができる。
【００３４】
＜第二の実施態様＞
本態様に係る枕１において、固定部は、枕本体２の外周縁に設けたエレメント４１ｄ（本体側エレメント）と、カバー部材３の外周縁に設けたエレメント４１ｕ（カバー側エレメント）と、エレメント４１（４１ｄ、４１ｕ）に沿って移動自在なスライダー４２とを備えた外周縁ファスナー４であることを特徴とする。
本態様に係る枕１によれば、枕本体２とカバー部材３とを外周縁ファスナー４によって固定しているので、詰め物５１の枕外部への漏出を確実に抑制できる。
【００３５】
＜第三の実施態様＞
本態様に係る枕１において、枕本体２の底面部２３、及びカバー部材３は、第２態様において枕１の高さを調整するための高さ調整シート５５を取り外し自在に収納する高さ調整シート収納空間ＳＰ６を形成することを特徴とする。
本態様に係る枕１によれば、第２態様において、枕本体２とカバー部材３との間の高さ調整シート収納空間ＳＰ６に対して高さ調整シート５５を収納できるので、枕１の高さ調整が容易に行える。
【符号の説明】
【００３６】
１…枕，２…枕本体，２１…袋体，２２…上面部，２３…底面部，２４…底面部開口，２５…底面部ファスナー，２６…中布，２６ａ…中布開口，２７…マチ布，２８ｉ…内側筒布，２８ｏ…外側筒布，３…カバー部材，４…外周縁ファスナー，４１…エレメント，４１ｄ…枕本体の外周縁に設けたエレメント，４１ｕ…カバー部材３の外周縁に設けたエレメント，４２（４２ａ，４２ｂ）…スライダー，５１…詰め物，５１ａ…柔軟な樹脂製パイプ，５１ｂ…火山灰を含有する柔軟な樹脂製パイプ，５１ｃ…羽毛，５１ｄ…粒綿，５２…シート状クッション（弾性シート），５３…首元用クッション片，５４…クッション小片，５５…高さ調整シート，ＳＷ…縫い付け部，ＳＰ１…上面側小室，ＳＰ２…底面側小室，ＳＰ３…クッション体収納部，ＳＰ４…首元用クッション片収納部，ＳＰ５…クッション小片収納部，ＳＰ６…高さ調整シート収納空間
【要約】      （修正有）【課題】枕の洗濯時において、詰め物の枕外部への漏出を抑制する枕を提供する。【解決手段】枕１は、上面部２２と底面部２３とを有する袋体２１によって構成され、且つ内部に詰め物が充填される枕本体２と、枕本体２の底面部２３に設けられた底面部開口２４と、底面部開口２４を開閉する底面部ファスナー２５と、縫い付け部を中心として枕本体２の上面部２２を覆う第１態様と底面部２３を覆う第２態様との間で旋回可能なカバー部材３と、第１態様と第２態様の夫々において、カバー部材３を枕本体２に固定する外周縁ファスナー４と、を備え、枕本体２の上面部２２、及びカバー部材３は、第１態様において寝心地を調整するための弾性シートを取り外し自在に収納するクッション体収納部を形成し、カバー部材３は、第２態様において底面部開口２４を封止する。【選択図】図２【図１】
0006949405.tif 000002
【図２】
0006949405.tif 000003
【図３】
0006949405.tif 000004
【図４】
0006949405.tif 000005
【図５】
0006949405.tif 000006
【図６】
0006949405.tif 000007
【図７】
0006949405.tif 000008
【図８】
0006949405.tif 000009
【図９】
0006949405.tif 000010
【図１０】
0006949405.tif 000011
【図１１】
0006949405.tif 000012
【図１２】
0006949405.tif 000013
【図１３】
0006949405.tif 000014
【図１４】
0006949405.tif 000015
【図１５】
0006949405.tif 000016